(57)【要約】【課題】遠隔機器において、携帯端末に対して接続情報を容易に設定可能とすることにより、接続情報の設定間違いを防止すると共に、設定時間を軽減する。【解決手段】遠隔機器１は、端末用通信ポート５と、接続情報送信手段６とを備える。端末用通信ポート５は、携帯端末２からの通信要求を受付ける。接続情報送信手段６は、端末用通信ポート５が通信要求を受けたことに応じて、携帯端末２が遠隔機器１に接続するための接続情報を携帯端末２に送信する。携帯端末２は、通信ポート９を備える。通信ポート９は、端末用通信ポート５に対して通信要求を送信し、端末用通信ポート５から接続情報を受信する。これにより、携帯端末２は、遠隔機器１から接続情報を容易に取得することができるため、接続情報の設定間違いを防止できると共に、接続情報の設定時間を軽減することができる。【選択図】図１
2007135104.tif 000002
【特許請求の範囲】
【請求項１】
携帯端末と通信を行う遠隔機器において、
前記携帯端末から通信要求があれば有線又は無線で通信を行う端末用通信ポートと、
前記携帯端末を機器自身に接続させるための接続情報を該携帯端末に送信する接続情報送信手段と、
前記携帯端末とインターネットを介して通信を行うインターネット通信手段とを備え、
前記接続情報送信手段は、前記端末用通信ポートが通信要求を受付けたことに応じて前記携帯端末に対して前記接続情報を送信することを特徴とする遠隔機器。
【請求項２】
前記機器自身はプライベートＩＰアドレスを保持し、前記携帯端末はパブリックＩＰアドレスを保持しているとき、
前記機器自身は、前記プライベートＩＰアドレスと前記パブリックＩＰアドレスとを変換する前記機器自身に備えられたルータに接続されていることを特徴とする請求項１に記載の遠隔機器。
【請求項３】
携帯端末と通信を行う遠隔機器において、
前記機器自身は、保持しているＩＰアドレスがプライベートＩＰアドレスかパブリックＩＰアドレスかを判別するＩＰアドレス判別手段を備え、
前記機器自身は、前記プライベートＩＰアドレスと前記パブリックＩＰアドレスとを変換する前記機器自身に備えられたルータに接続され、
前記ルータは、前記機器自身に備えられた遠隔監視管理サーバに接続され、
前記ＩＰアドレス判別手段が、前記機器自身の保持しているＩＰアドレスがプライベートＩＰアドレスであると判断したとき、前記接続情報送信手段は、前記端末用通信ポートが通信要求を受付けたことに応じて前記携帯端末に対して、前記携帯端末を前記遠隔監視管理サーバに接続するための接続情報を送信することを特徴とする遠隔機器。
【請求項４】
前記機器自身は、プライベートＩＰアドレスを保持し、前記携帯端末はパブリックＩＰアドレスを保持しているとき、
前記ルータは、前記機器自身に備えられた接続確認用サーバに接続され、
前記機器自身は、前記接続確認用サーバから前記ルータのパブリックＩＰアドレスを取得するルータＩＰアドレス取得手段を備えたことを特徴とする請求項３に記載の遠隔機器。
【請求項５】
前記機器自身は、前記携帯端末と電子メール通信するためのメールサーバに接続され、
前記携帯端末のメールアドレスを記憶するメールアドレス記憶部と、
前記携帯端末に対してメールを送受信する電子メールクライアント機能とを備え、
前記電子メールには、前記接続情報又は前記遠隔機器と前記携帯端末との通信異常を示す異常情報を含むことを特徴とする請求項１に記載の遠隔機器。
【請求項６】
請求項１乃至請求項５に記載の遠隔機器を備えたことを特徴とするネットワークシステム。
【発明の詳細な説明】
【技術分野】
【０００１】
本発明は、携帯端末から容易に接続することができる遠隔機器に関する。
【背景技術】
【０００２】
従来の遠隔機器としては、例えば、特許文献１に示されるように、持ち運び可能な携帯端末や携帯電話からインターネットを介して遠隔機器に接続する構成が知られている。持ち運び可能な携帯端末や携帯電話から遠隔機器に接続することにより、遠隔機器から遠く離れた位置であっても速やかに遠隔機器を操作することが可能となる。さらに、携帯端末や携帯電話を複数使用することにより、様々な場所から遠隔機器に接続することができる。
【０００３】
しかしながら、特許文献１に示される技術においては、携帯端末や携帯電話から遠隔機器に接続するための接続情報をキー入力によって夫々の携帯端末や携帯電話に設定する必要があった。携帯端末や携帯電話に接続情報を設定する際に、設定間違いの発生が問題となっていた。また、複数の携帯端末や携帯電話を使用するとき、全ての携帯端末や携帯電話に対しキー入力によって接続情報を設定する必要があるため、設定作業に多大な時間を要するという問題があった。
【０００４】
【特許文献１】特開２００２−１１４４５６号公報
【発明の開示】
【発明が解決しようとする課題】
【０００５】
本発明は、上記従来例の問題を解決するためになされたものであり、携帯端末や携帯電話に対して、遠隔機器に接続するための接続情報を容易に設定可能とすることにより、接続情報の設定間違いを防止すると共に、設定時間を軽減することができる遠隔機器を提供することを目的とする。
【課題を解決するための手段】
【０００６】
上記目的を達成するために請求項１の発明は、携帯端末と通信を行う遠隔機器において、
携帯端末から通信要求があれば有線又は無線で通信を行う端末用通信ポートと、携帯端末を機器自身に接続させるための接続情報を携帯端末に送信する接続情報送信手段と、携帯端末とインターネットを介して通信を行うインターネット通信手段とを備え、接続情報送信手段は、端末用通信ポートが通信要求を受付けたことに応じて携帯端末に対して接続情報を送信するようにしたものである。
【０００７】
また、請求項２の発明は、請求項１の遠隔機器において、機器自身はプライベートＩＰアドレスを保持し、携帯端末はパブリックＩＰアドレスを保持しているとき、機器自身は、プライベートＩＰアドレスとパブリックＩＰアドレスとを変換する機器自身に備えられたルータに接続されているようにしたものである。
【０００８】
また、請求項３の発明は、携帯端末と通信を行う遠隔機器において、機器自身は、保持しているＩＰアドレスがプライベートＩＰアドレスかパブリックＩＰアドレスかを判別するＩＰアドレス判別手段を備え、機器自身は、プライベートＩＰアドレスとパブリックＩＰアドレスとを変換する機器自身に備えられたルータに接続され、ルータは、機器自身に備えられた遠隔監視管理サーバに接続され、ＩＰアドレス判別手段が、機器自身の保持しているＩＰアドレスがプライベートＩＰアドレスであると判断したとき、接続情報送信手段は、端末用通信ポートが通信要求を受付けたことに応じて携帯端末に対して、携帯端末を遠隔監視管理サーバに接続するための接続情報を送信するようにしたものである。
【０００９】
また、請求項４の発明は、請求項３の遠隔機器において、機器自身は、プライベートＩＰアドレスを保持し、携帯端末はパブリックＩＰアドレスを保持しているとき、ルータは、機器自身に備えられた接続確認用サーバに接続され、機器自身は、接続確認用サーバからルータのパブリックＩＰアドレスを取得するルータＩＰアドレス取得手段を備えたようにしたものである。
【００１０】
また、請求項５の発明は、請求項１の遠隔機器において、機器自身は、携帯端末と電子メール通信するためのメールサーバに接続され、携帯端末のメールアドレスを記憶するメールアドレス記憶部と、携帯端末に対してメールを送受信する電子メールクライアント機能とを備え、電子メールには、接続情報又は遠隔機器と携帯端末との通信異常を示す異常情報を含むようにしたものである。
【００１１】
また、請求項６の発明は、請求項１乃至請求項５に記載の遠隔機器を備えたようにしたものである。
【発明の効果】
【００１２】
請求項１の発明によれば、携帯端末は、遠隔機器から接続情報を容易に取得することができるため、接続情報の設定間違いを防止することができる。
【００１３】
請求項２の発明によれば、携帯端末は、遠隔機器の保持するＩＰアドレスがプライベートＩＰアドレスであっても、ルータがプライベートＩＰアドレスとパブリックＩＰアドレスとを変換するため遠隔機器に接続することができる。
【００１４】
請求項３の発明によれば、携帯端末は、遠隔機器の保持するＩＰアドレスがプライベートＩＰアドレスかパブリックＩＰアドレスのいずれであっても、携帯端末が遠隔監視管理サーバに接続するための接続情報を取得するため、遠隔機器に接続することができる。
【００１５】
請求項４の発明によれば、携帯端末は、遠隔機器の保持するＩＰアドレスがプライベートＩＰアドレスであっても、接続確認用サーバから遠隔機器を介してルータのパブリックＩＰアドレスを取得することにより、遠隔機器に接続することができる。
【００１６】
請求項５の発明によれば、携帯端末は、遠隔機器が携帯端末に対して電子メールを送信することにより、接続情報又は異常情報を受信することができる。
【００１７】
請求項６の発明によれば、携帯端末は、請求項１乃至請求項５に記載の遠隔機器を備えたことにより、接続情報の設定間違いを防止することができると共に、遠隔機器の保持するＩＰアドレスがプライベートＩＰアドレスであっても、遠隔機器に接続することができる。また、携帯端末は、遠隔機器の保持するＩＰアドレスがプライベートＩＰアドレスかパブリックＩＰアドレスのいずれであっても、遠隔機器に接続することができる。さらに、携帯端末は、接続情報又は異常情報を受信することができる。
【発明を実施するための最良の形態】
【００１８】
以下、本発明の第１の実施形態に係る遠隔機器について、図１及び図２を参照して説明する。図１は、本発明の第１の実施形態に係る遠隔機器の通信状態の構成を示す。遠隔機器１は、端末用通信ポート５と、接続情報送信手段６と、インターネット通信手段７とを備える。端末用通信ポート５は、携帯端末２からの通信要求を受付ける。接続情報送信手段６は、端末用通信ポート５が通信要求を受けたことに応じて、携帯端末２が遠隔機器１に接続するための接続情報を携帯端末２に送信する。ここで、接続情報とは、例えば、遠隔機器１のＵＲＬ、アカウント、及び認証用パスワードなどである。インターネット通信手段７は、インターネット通信網４を介して携帯端末２と通信を行う。遠隔機器１は、インターネット通信網において一意に定まるパブリックＩＰアドレス内８にあってパブリックＩＰアドレスを保持している。遠隔機器１は、このパブリックＩＰアドレスを用いて、携帯端末通信網３及びインターネット通信網４を介して携帯端末２と通信を行う。
【００１９】
携帯端末２は、通信ポート９と、携帯端末通信部１０と、入力キー１１と、表示画面１２とを備える。通信ポート９は、端末用通信ポート５に対して通信要求を送信し、端末用通信ポート５から接続情報を受信する。携帯端末通信部１０は、携帯端末通信網３及びインターネット通信網４を介して遠隔機器１と通信を行う。入力キー１１は、操作者から各種の命令を受付け、表示画面１２は、各種の情報を表示する。ここで、端末用通信ポート５と通信ポート９は、赤外線を利用した近距離のデータ通信を行なうＩＲＤＡ１３（Ｉｎｆｒａｒｅｄ  Ｄａｔａ  Ａｓｓｏｃｉａｔｉｏｎ）によって通信を行う。携帯端末２は、遠隔機器１から接続情報を受信すると接続情報に基づいて遠隔機器１と通信を行う。
【００２０】
図２は、本発明の第１の実施形態に係る遠隔機器１の通信状態の動作フローを示す。接続情報が設定されていない携帯端末２は、初期状態として電源が投入されると（Ｓ１０１）、通信ポート９から遠隔機器１の端末用通信ポート５に対して通信要求を送信する（Ｓ１０２）。遠隔機器１は、端末用通信ポート５が携帯端末２から通信要求を受付けたことに応じて、携帯端末２が遠隔機器１に接続するための接続情報を通信ポート９に送信する（Ｓ１０３）。携帯端末２は、取得した接続情報に基づいて、携帯端末通信網３及びインターネット通信網４を介して遠隔機器１に接続する（Ｓ１０４）。携帯端末２が遠隔機器１に接続すると、携帯端末２及び遠隔機器１は互いに必要なデータの送受信を行い（Ｓ１０５）、データの送受信が完了すると接続を終了する（Ｓ１０６）。これにより、携帯端末２は、遠隔機器１から接続情報を容易に取得することができるため、接続情報の設定間違いを防止できると共に、接続情報の設定時間を軽減することができる。
【００２１】
次に、本発明の第２の実施形態に係る遠隔機器について、図３及び図４を参照して説明する。図３は、本発明の第２の実施形態に係る遠隔機器１の通信状態の構成を示す。遠隔機器１は、プライベートＩＰアドレス内１４のみで通用するプライベートＩＰアドレスを保持している。遠隔機器１は、パブリックＩＰアドレス内８のインターネット通信網４と接続しておりプライベートＩＰアドレスとパブリックＩＰアドレスをＮＡＴ変換（Ｎｅｔｗｏｒｋ  Ａｄｄｒｅｓｓ  Ｔｒａｎｓｌａｔｉｏｎ）するルータ１５に接続される。これにより、プライベートＩＰアドレスが設定されている遠隔機器１は、ルータ１５を介して携帯端末２と通信することができる。
【００２２】
図４は、本発明の第２の実施形態に係る遠隔機器１の通信状態の動作フローを示す。接続情報が設定されていない携帯端末２は、初期状態として電源が投入されると（Ｓ２０１）、通信ポート９から遠隔機器１の端末用通信ポート５に対して通信要求を送信する（Ｓ２０２）。遠隔機器１は、端末用通信ポート５が携帯端末２から通信要求を受付けたことに応じて、携帯端末２が遠隔機器１に接続するためにルータ１５のパブリックＩＰアドレスを含む接続情報を通信ポート９に送信する（Ｓ２０３）。携帯端末２は取得した接続情報に基づいて、携帯端末通信網３、インターネット通信網４、及びルータ１５を介して遠隔機器１に接続する（Ｓ２０４）。ルータ１５は、携帯端末２から接続されるとルータ１５のパブリックＩＰアドレスを遠隔機器１が保持するプライベートＩＰアドレスに変換して携帯端末２と遠隔機器１を接続させる（Ｓ２０５）。携帯端末２が遠隔機器１に接続すると、携帯端末２及び遠隔機器１は互いに必要なデータの送受信を行い（Ｓ２０６）、データの送受信が完了すると接続を終了する（Ｓ２０７）。これにより、遠隔機器１は、プライベートＩＰアドレスを保持しているときであっても、ルータ１５を介して携帯端末２と通信を行うことができる。
【００２３】
次に、本発明の第３の実施形態に係る遠隔機器について、図５及び図６を参照して説明する。図５は、本発明の第３の実施形態に係る遠隔機器１の通信状態の構成を示す。遠隔機器１は、遠隔機器１が保持するＩＰアドレス及びサブネットマスクの数値から自身が保持しているＩＰアドレスがプライベートＩＰアドレスかパブリックＩＰアドレスであるか否かを、判別するＩＰアドレス判別手段１６を備える。ここで、遠隔機器１は、プライベートＩＰアドレスを保持している状態を示している。ルータ１５は、インターネット通信網４に接続され、パブリックＩＰアドレスを保持している遠隔監視管理サーバ１７に接続される。ＩＰアドレス判別手段１６は、遠隔機器１がプライベートＩＰアドレスを保持していると判別したとき、接続情報送信手段６は、端末用通信ポート５が通信要求を受けたことに応じて、ルータ１５が保持するパブリックＩＰアドレスを含む接続情報を携帯端末２に送信する。一方、ＩＰアドレス判別手段１６は、遠隔機器１がパブリックＩＰアドレスを保持していると判別したとき、接続情報送信手段６は、端末用通信ポート５が通信要求を受けたことに応じて、遠隔機器１が保持するパブリックＩＰアドレスを含む接続情報を携帯端末２に送信する。
【００２４】
図６は、本発明の第３の実施形態に係る遠隔機器１の通信状態の動作フローを示す。接続情報が設定されていない携帯端末２は、初期状態として電源が投入されると（Ｓ３０１）、通信ポート９から遠隔機器１の端末用通信ポート５に対して通信要求を送信する（Ｓ３０２）。ＩＰアドレス判別手段１６が、遠隔機器１が保持するＩＰアドレスがパブリックＩＰアドレスであると判別すると（Ｓ３０３）、接続情報送信手段６は、端末用通信ポート５が携帯端末２から通信要求を受付けたことに応じて、遠隔機器１が保持するパブリックＩＰアドレスを含む接続情報を通信ポート９に送信する（Ｓ３０４）。携帯端末２は、遠隔機器１が保持するパブリックＩＰアドレスを含む接続情報に基づいて遠隔機器１に接続する（Ｓ３０５）。
【００２５】
ステップＳ３０３において、ＩＰアドレス判別手段１６が、遠隔機器１が保持するＩＰアドレスがプライベートＩＰアドレスであると判別すると、接続情報送信手段６は、端末用通信ポート５が携帯端末２から通信要求を受付けたことに応じて、遠隔監視管理サーバ１７が保持するパブリックＩＰアドレスを含む接続情報を通信ポート９に送信する（Ｓ３０６）。携帯端末２は、遠隔機器１が保持するパブリックＩＰアドレスを含む接続情報に基づいて遠隔監視管理サーバ１７を介してルータ１５に接続する（Ｓ３０７）。ルータ１５は、携帯端末２から接続されるとルータ１５のパブリックＩＰアドレスを遠隔機器１が保持するプライベートＩＰアドレスに変換して携帯端末２と遠隔機器１を接続させる（Ｓ３０８）。携帯端末２が遠隔機器１に接続すると、携帯端末２及び遠隔機器１は互いに必要なデータの送受信を行い（Ｓ３０９）、データの送受信が完了すると接続を終了する（Ｓ３１０）。これにより、携帯端末２は、遠隔機器１が保持するＩＰアドレスがプライベートＩＰアドレスかパブリックＩＰアドレスかを意識することなく容易に遠隔機器１と通信を行うことができる。
【００２６】
次に、本発明の第４の実施形態に係る遠隔機器について、図７及び図８を参照して説明する。図７は、本発明の第４の実施形態に係る遠隔機器１の通信状態の構成を示す。遠隔機器１は、ルータ１５のパブリックＩＰアドレスを取得するルータアドレス取得手段１８を備える。ルータ１５は、ルータ１５のパブリックＩＰアドレスをルータアドレス取得手段１８に送信する接続確認用サーバ１９に接続される。ルータアドレス取得手段１８は、接続確認用サーバ１９からルータ１５のパブリックＩＰアドレスを取得することにより、ルータ１５がインターネット通信網４と接続する度にルータ１５に新しく割り当てられるパブリックＩＰアドレスを取得することができる。
【００２７】
図８は、本発明の第４の実施形態に係る遠隔機器１の通信状態の動作フローを示す。接続情報が設定されていない携帯端末２は、初期状態として電源が投入されると（Ｓ４０１）、通信ポート９から遠隔機器１の端末用通信ポート５に対して通信要求を送信する（Ｓ４０２）。ＩＰアドレス判別手段１６が、遠隔機器１が保持するＩＰアドレスがパブリックＩＰアドレスであると判別すると（Ｓ４０３）、接続情報送信手段６は、端末用通信ポート５が携帯端末２から通信要求を受付けたことに応じて、遠隔機器１が保持するパブリックＩＰアドレスを含む接続情報を通信ポート９に送信する（Ｓ４０４）。携帯端末２は、遠隔機器１が保持するパブリックＩＰアドレスを含む接続情報に基づいて遠隔機器１に接続する（Ｓ４０５）。
【００２８】
ステップＳ４０３において、ＩＰアドレス判別手段１６が、遠隔機器１が保持するＩＰアドレスがプライベートＩＰアドレスであると判別すると、遠隔機器１はルータ１５を介して接続確認用サーバ１９に接続する（Ｓ４０６）。接続確認用サーバ１９は、ルータ１５に割り当てられているパブリックＩＰアドレスをルータアドレス取得手段１８に送信する（Ｓ４０７）。接続情報送信手段６は、端末用通信ポート５が携帯端末２から通信要求を受付けたことに応じて、ルータアドレス取得手段１８が取得したルータ１５が保持するパブリックＩＰアドレスを含む接続情報を通信ポート９に送信する（Ｓ４０８）。携帯端末２は、遠隔機器１が保持するパブリックＩＰアドレスを含む接続情報に基づいてルータ１５に接続する（Ｓ４０９）。ルータ１５は、携帯端末２から接続されるとルータ１５のパブリックＩＰアドレスを遠隔機器１が保持するプライベートＩＰアドレスに変換して携帯端末２と遠隔機器１を接続させる（Ｓ４１０）。携帯端末２が遠隔機器１に接続すると、携帯端末２及び遠隔機器１は互いに必要なデータの送受信を行い（Ｓ４１１）、データの送受信が完了すると接続を終了する（Ｓ４１２）。これにより、遠隔機器１は、ルータ１５がインターネット通信網４と接続する度にルータ１５に新しく割り当てられるパブリックＩＰアドレスを取得することができるため、携帯端末２は、容易に最新のルータ１５が保持するパブリックＩＰアドレスを含む接続情報に基づいて遠隔機器１と通信を行うことができる。
【００２９】
次に、本発明の第５の実施形態に係る遠隔機器について、図９及び図１０を参照して説明する。図９は、本発明の第５の実施形態に係る遠隔機器１の通信状態の構成を示す。遠隔機器１は、携帯端末２の電子メールアドレスを記憶するメールアドレス記憶部２１と、携帯端末２と電子メールを送受信する電子メールクライアント機能２２とを備える。さらに、遠隔機器１は、インターネット通信網４を介して携帯端末２と電子メールを送受信するためのメールサーバ２０に接続される。
【００３０】
図１０は、本発明の第５の実施形態に係る遠隔機器１の通信状態の動作フローを示す。接続情報が設定されていない携帯端末２は、初期状態として電源が投入されると（Ｓ５０１）、通信ポート９から遠隔機器１の端末用通信ポート５に対して通信要求を送信する（Ｓ５０２）。接続情報送信手段６は、端末用通信ポート５が携帯端末２から通信要求を受付けたことに応じて、接続情報を通信ポート９に送信する（Ｓ５０３）。その後、遠隔機器１の接続情報に変更が生じたとき（Ｓ５０４でＹｅｓ）、電子メールクライアント機能２２は、メールアドレス記憶部２１が記憶する携帯端末２の電子メールアドレスに基づいて、新たな接続情報を含む電子メールを携帯端末２に対して送信する（Ｓ５０６）。
【００３１】
ステップＳ５０４において、遠隔機器１の接続情報に変更が生じていないときに（Ｓ５０４でＮｏ）、遠隔機器１において通信異常が発生したときは（Ｓ５０５でＹｅｓ）、電子メールクライアント機能２２は、通信異常が発生した旨を報知する内容を含む電子メールを携帯端末２に対して送信する（Ｓ５０６）。その後、携帯端末２が遠隔機器１に接続する必要が生じたときは、携帯端末２は接続情報に基づいて遠隔機器１に接続する（Ｓ５０７）。携帯端末２が遠隔機器１に接続すると、携帯端末２及び遠隔機器１は互いに必要なデータの送受信を行い（Ｓ５０８）、データの送受信が完了すると接続を終了する（Ｓ５０９）。これにより、携帯端末２は、一端、接続情報を取得し遠隔機器１から離れた位置に移動した後でも、接続情報を含む電子メールを受信することにより新たな接続情報を取得することができる。さらに、遠隔機器１の通信異常を電子メールから知ることができるため、通信異常に対してすばやく対応することができる。
【００３２】
次に、本発明の第６の実施形態に係る遠隔機器について説明する。本実施形態のネットワークシステムにおいて、遠隔機器１は、端末用通信ポート５と、接続情報送信手段６と、インターネット通信手段７に加え、必要に応じてＩＰアドレス判別手段と、ルータアドレス取得手段１８と、メールアドレス記憶部２１と、電子メールクライアント機能２２とを備える。また、遠隔機器１は、必要に応じてルータ１５と、遠隔監視管理サーバ１７と、接続確認用サーバ１９と、メールサーバ２０とに接続される。これにより、ネットワークシステムは、遠隔機器１がプライベートＩＰアドレス又はパブリックＩＰアドレスのいずれを保持している場合であっても、携帯端末２と遠隔機器１は通信を行うことができると共に、遠隔機器１は、携帯端末２に対して電子メールを送信することができる。
【００３３】
なお、本発明は、上記各種実施形態の構成に限られず、発明の趣旨を変更しない範囲で種々の変形が可能である。例えば、接続情報送信手段６と通信ポート９の通信は、ＩＲＤＡ１３によって行われる構成でなく、ブルートゥース（Ｂｌｕｅｔｏｏｔｈ）、有線ＬＡＮ、又は無線ＬＡＮによって行われる構成であっても構わない。また、携帯端末２は、携帯端末通信網３を介してインターネット通信網４と接続する構成ではなく、携帯端末通信網３を介さず直接、インターネット通信網４を接続する構成であっても構わない。
【図面の簡単な説明】
【００３４】
【図１】本発明の本発明の第１の実施形態に係る遠隔機器の通信状態の構成を示す図。
【図２】本発明の本発明の第１の実施形態に係る遠隔機器１の通信状態の動作フロー示す図。
【図３】本発明の本発明の第２の実施形態に係る遠隔機器１の通信状態の構成を示す図。
【図４】本発明の本発明の第２の実施形態に係る遠隔機器１の通信状態の動作フロー示す図。
【図５】本発明の本発明の第３の実施形態に係る遠隔機器１の通信状態の構成を示す図。
【図６】本発明の本発明の第３の実施形態に係る遠隔機器１の通信状態の動作フロー示す図。
【図７】本発明の本発明の第４の実施形態に係る遠隔機器１の通信状態の構成を示す図。
【図８】本発明の本発明の第４の実施形態に係る遠隔機器１の通信状態の動作フロー示す図。
【図９】本発明の本発明の第５の実施形態に係る遠隔機器１の通信状態の構成を示す図。
【図１０】本発明の本発明の第５の実施形態に係る遠隔機器１の通信状態の動作フロー示す図。
【符号の説明】
【００３５】
１  遠隔機器
２  携帯端末
５  端末用通信ポート
６  接続情報送信手段
７  インターネット通信手段
１５  ルータ
１６  ＩＰアドレス判別手段
１７  遠隔監視管理サーバ
１９  接続確認用サーバ
２０  メールサーバ
２１  メールアドレス記憶部
２２  電子メールクライアント機能
【図１】
2007135104.tif 000003
【図２】
2007135104.tif 000004
【図３】
2007135104.tif 000005
【図４】
2007135104.tif 000006
【図５】
2007135104.tif 000007
【図６】
2007135104.tif 000008
【図７】
2007135104.tif 000009
【図８】
2007135104.tif 000010
【図９】
2007135104.tif 000011
【図１０】
2007135104.tif 000012